(57)【要約】  【課題】ハンドル部１をフォーク２の中央接続片２ａに固定するのであるが、従来の方式では螺合が緩んでしまったり、固定のためのナットを紛失したりしやすく使い勝手に課題を有していた。  【解決手段】フォーク２の中央接続片２ａと係止ピン５に嵌装してフォーク２に対してハンドル部１が回転しない構造のロック部材６を有する床材用押さえローラを提供する。ロック部材６において、係止部６ｂ，６ｂによって係止ピン５との嵌装、溝部６ａ，６ａにより中央接続片２ａに対して嵌装される構成とする。【選択図】    図１
2008208590.tif 000002
【特許請求の範囲】
【請求項１】
フォークに対して着脱自在なハンドル部を有し、
上記フォークの先端においてフォーク内側に位置する中央ローラと、その外側に位置する左右の側部ローラとを共通の軸線上に回転自在に取り付けた床材用押さえローラにおいて、
ハンドル部には、上記フォークに着脱する端部付近に係止突起を設け、
フォークの中央接続片と上記係止突起に嵌装してフォークに対してハンドル部が回転しないようにロックするロック部材を有していることを特徴とする床材用押さえローラ。
【請求項２】
ロック部材は、フォーク中央接続片に対してハンドル部の左右位置においてそれぞれ嵌装する溝部と、
ハンドル部に設けられた係止突起に対して係止可能に嵌装できる係止部と、
上記溝部を塞ぐように配置された弾性変形可能な係止片又は溝部を塞ぐように付勢された進退自在な部材とを有し、
ロック部材はフォークに対して着脱可能であることを特徴とする請求項１記載の床材用押さえローラ。
【請求項３】
ロック部材は、ハンドル部に設けられた係止突起に対して係止可能に嵌装できる係止部と、
フォークの中央接続片に設けられた嵌合孔に嵌合してハンドル部の回転方向へのロックと抜け方向へのロックとを行う部材とを有し、
ロック部材はフォークに対して着脱可能であることを特徴とする請求項１記載の床材用押さえローラ。
【請求項４】
フォークに対して着脱自在なハンドル部を有し、
上記フォークの先端においてフォーク内側に位置する中央ローラと、その外側に位置する左右の側部ローラとを共通の軸線上に回転自在に取り付けた床材用押さえローラにおいて、
ハンドル部とフォークの中央接続片を嵌合させた状態で、ハンドル部の回転方向へのロックと抜け方向へのロックとを行うロック方向に付勢されたロック手段を有することを特徴とする床材用押さえローラ。
【発明の詳細な説明】
【技術分野】
【０００１】
本発明は、建築物の床面に接着剤で貼り付けられたカーペットやリノリュームなどの床材を、その貼付直後に上面から押さえるために使用する床材用押さえローラに関するものである。
【背景技術】
【０００２】
ポリ塩化ビニル樹脂等からなる床材として、床に設置するタイル上の床材やシート状の床材が施工されている。この床材を床面に接着剤によって貼着けした直後に上面から押さえるために使用する床材用押さえローラが知られている。
【０００３】
上記の床材用押さえローラは、手押しハンドルを備えたフォークの先端に、その内側に位置する中央ローラと、その外側に位置する左右の側部ローラとを共通の軸線上に回転自在に取り付け、上記フォークの先端部、中央ローラおよび側部ローラにその共通の軸線に沿って軸孔をそれぞれ穿設し、フォーク先端の軸孔から内向きに突設した短い円筒軸の外面に中央ローラの両端部を回転自在に支持させ、上記円筒軸の中心孔および中央ローラの軸孔を貫通するローラ軸の側方突出端に左右の側部ローラをそれぞれ着脱可能に取り付けた構造であることが知られている。
【特許文献１】実公昭６２−３１５４６号公報
【発明の開示】
【発明が解決しようとする課題】
【０００４】
上記の床材用押さえローラは、ハンドル部がフォークに螺合する構造となっており、ナットを設けてハンドル部とフォーク部の螺合がゆるまないようにしている。施工現場へ移動する際などでは、フォーク部からハンドル部を外した状態とし、自動車等に載せて移動する。この移動において、ナットが外れてしまったりして、ナットを無くしやすく、ナットを無くした状態でハンドル部をフォーク部へ取り付けると、ローラが重いため取り回しの際にハンドル部だけが回転してしまってローラの向きを変えられないという状況が発生する。ハンドルは取付・取外しが容易なようにフォークの中央接続片に取付されており、ローラは床材をしっかりと押さえる様に重量を持たせてあることから、ナットを締付している場合でも、ハンドルを操作してローラの向きを変える時にネジの緩み方向へハンドルを回転させると締付が緩んでしまうという課題を有していた。
【０００５】
そこで、容易に、また確実にハンドル部をフォーク部にロックできるように改善することが求められていたのである。
【課題を解決するための手段】
【０００６】
上記の課題を解決するために本発明の請求項１は、フォークに対して着脱自在なハンドル部を有し、上記フォークの先端においてフォーク内側に位置する中央ローラと、その外側に位置する左右の側部ローラとを共通の軸線上に回転自在に取り付けた床材用押さえローラにおいて、ハンドル部には、上記フォークに着脱する端部付近に係止突起を設け、フォークの中央接続片と上記係止突起に嵌装してフォークに対してハンドル部が回転しないようにロックするロック部材を有していることを特徴とする。
【０００７】
また、本発明の請求項２においては、ロック部材は、フォーク中央接続片に対してハンドル部の左右位置においてそれぞれ嵌装する溝部と、ハンドル部に設けられた係止突起に対して係止可能に嵌装できる係止部と、上記溝部を塞ぐように配置された弾性変形可能な係止片とを有し、ロック部材はフォークに対して着脱可能であることを特徴とする。
【０００８】
上記の課題を解決するために本発明の請求項１は、フォークに対して着脱自在なハンドル部を有し、上記フォークの先端においてフォーク内側に位置する中央ローラと、その外側に位置する左右の側部ローラとを共通の軸線上に回転自在に取り付けた床材用押さえローラにおいて、ハンドル部には、上記フォークに着脱する端部付近に係止突起を設け、フォークの中央接続片と上記係止突起に嵌装してフォークに対してハンドル部が回転しないようにロックするロック部材を有していることを特徴とする。
【０００９】
本発明により、フォークの中央接続片と係止突起に嵌装してフォークに対してハンドル部が回転しない構造のロック部材であるため、ナットのような小さなものではなく、紛失の防止ができ、使い勝手の良いロック手段を有する床材用押さえローラを提供できる。そしてロック部材は、床材を押さえる作業中に脱落したり、フォークの中央接続片とハンドル部の係止突起の嵌装が解除されない形状としておくことで安定したロックが可能となる。
【００１０】
また、本発明の請求項２においては、ロック部材は、フォーク中央接続片に対してハンドル部の左右位置においてそれぞれ嵌装する溝部と、ハンドル部に設けられた係止突起に対して係止可能に嵌装できる係止部と、上記溝部を塞ぐように配置された弾性変形可能な係止片又は溝部を塞ぐように付勢された進退自在な部材とを有し、ロック部材はフォークに対して着脱可能であることを特徴とする。
【００１１】
請求項２の発明により、フォークの中央接続片には弾性変形可能な係止片を用いることで着脱する際には、溝部付近の隙間を広くして着脱し、装着した後は、ある程度の力をかけて外さないと外れないという構成となっている。この係止片は、ロック部材の素材と同じでも良いが、バネ板材などの素材を用いることも可能で、ロック部材と一体に設けたり、係止片だけ別の素材を用いてロック部材に一体的に取り付ける構成としても良い。
【００１２】
また、溝部を塞ぐように付勢された進退自在な部材を用いた場合では、付勢とは反対方向へ進退自在な部材を移動させることによりフォークの中央接続片に溝部を嵌装させる。ロック部材を装着した場合には、上記の係止片又は進退自在な部材にてロック部材が中央接続片から脱落せずに装着した状態とできる。
【００１３】
また、本発明の請求項３においては、ロック部材は、ハンドル部に設けられた係止突起に対して係止可能に嵌装できる係止部と、フォークの中央接続片に設けられた嵌合孔に嵌合してハンドル部の回転方向へのロックと抜け方向へのロックとを行う部材とを有し、
ロック部材はフォークに対して着脱可能であることを特徴とする。
【００１４】
請求項３の発明により、ハンドル部はフォークの中央接続片に対して螺合だけでなく、嵌め合いとしてもよい構成となる。請求項３においては、ロック部材にはフォークの中央接続片に嵌装する溝部は必ずしも必須では無い発明として使い勝手の良いロック部材を有する床材用押さえローラの提供をすることができる。
【００１５】
さらに本発明の請求項４においては、フォークに対して着脱自在なハンドル部を有し、
上記フォークの先端においてフォーク内側に位置する中央ローラと、その外側に位置する左右の側部ローラとを共通の軸線上に回転自在に取り付けた床材用押さえローラにおいて、ハンドル部とフォークの中央接続片を嵌合させた状態で、ハンドル部の回転方向へのロックと抜け方向へのロックとを行うロック方向に付勢されたロック手段を有することを特徴とする。
【００１６】
請求項４の発明により、ハンドル部とフォークの中央接続片を嵌合させた状態で、ハンドル部側もしくはフォークの中央接続片側に設けたロック手段で、中央接続片あるいはハンドル部に対してロックを行い、使い勝手の良い床材用押さえローラの提供をすることができる。ロック手段をハンドル部側に設けた場合は、ハンドル部に強度を持たせた部材を介して中央接続片に設けた嵌合孔にロック部材を嵌合させる構成を採用することができる。中央接続片のハンドル部嵌合部分にロック手段を設けることもでき、この場合には、ハンドル部の嵌合部に設けた嵌合孔にロック手段が嵌合する構成を採用することができる。どちらの場合においても、構造的に簡単で使い勝手の良いロック手段を有する床材用押さえローラの提供をすることができる。
【発明の効果】
【００１７】
本発明の請求項１によりフォークの中央接続片と係止突起に嵌装してフォークに対してハンドル部が回転しない構造のロック部材を有する床材用押さえローラを提供するため、ナットのような小さなものではなく、紛失の防止ができ、使い勝手の良いロック手段になる。
【００１８】
また、本発明の請求項２の効果として、フォークの中央接続片には弾性変形可能な係止片を用いることで着脱する際には、溝部付近の隙間を広くして着脱し、装着した後は、ある程度の力をかけないと外れないという構成で使い勝手の良いロック部材の提供が可能である。また、溝部を塞ぐように付勢された進退自在な部材を用いた場合でも使い勝手において向上させることができ、いずれの場合においても、ロック部材をフォークの中央接続片に装着した状態、すなわち、ロック部材の溝部がフォークの中央接続片に嵌装された状態で、係止突起に対して係止部の嵌装と解除が可能である構成として使い勝手を向上できる。
【００１９】
請求項３の発明により、ハンドル部はフォークの中央接続片に対して螺合だけでなく、嵌め合いとしても良い構成とでき、また、ロック部材にはフォークの中央接続片に嵌装する溝部は必ずしも必須では無い発明として使い勝手の良いロック部材を有する床材用押さえローラの提供をすることができる。
【００２０】
さらに請求項４の発明により、構造的に簡単で使い勝手の良いロック手段を有する床材用押さえローラの提供をすることができる。
【発明を実施するための最良の形態】
【００２１】
本発明の実施の形態を図１〜図３を用いて説明すると、ハンドル部１は係止突起として係止ピン５が設けられて、フォーク２の中央接続片２ａに螺合により着脱自在に構成されている。そして、フォーク２の先端においてフォーク２内側には中央ローラ３を配置し、
その外側には側部ローラ４，４を左右にそれらのローラが共通の軸線上に回転自在に配置されている。この側部ローラ４，４は中央ローラ３のみで床材の押さえ作業ができるように、中央ローラ３の軸孔を貫通するローラ軸（図示せず）の側方突出端に側部ローラ４，４は左右共に着脱自在かつ回転自在な状態に取り付けられている。これら中央ローラ３と側部ローラ４，４の配置に関する構造については、中央ローラ３はフォーク２に軸支され、側部ローラ４，４は中央ローラの軸孔を貫通するローラ軸で軸支されるという従来の実公昭６２−３１５４６号に開示された構成と同様の構成である。
【００２２】
本発明では図２に示すロック部材６を設けている。このロック部材６は、フォーク２の中央接続片２ａに嵌合する溝部６ａ，６ａを有し、その他端側には係止部６ｂ，６ｂを設け、これら溝部６ａ，６ａと係止部６ｂ，６ｂはロック部材６の側板部６ｃ，６ｃに設けられている。係止部６ｂ，６ｂは、側板部６ｃ，６ｃに係止部６ｂ，６ｂとして溝部が設けられ、この溝部の開放されている側からハンドル部１に設けた係止ピン５へ係止される構成としている。
【００２３】
さらに、中央接続片２ａに嵌装される溝部６ａ，６ａを設けた側には、係止片６ｄが設けられ、フォーク２の中央接続片２ａに着脱する際には係止片６ｄがバネ板として間隔が広がるように変形することにより着脱可能に構成されている。そして、装着した状態であれば、この係止片６ｄによってロック部材６がフォーク２の中央接続片２ａから脱落してしまうことが防止される構成としている。（図１参照）係止片６ｄが装着されていない状態のロック部材であれば、図１の状態からさらに時計回りに自重により旋回した場合には、中央接続片２ａと溝部６ａ，６ａとの嵌装が外れて脱落してしまうため、係止片６ｄにより、ロック部材６の脱落を防止し、使い勝手の向上をした構成としている。
【００２４】
係止ピン５に対して、ロック部材６の係止部６ｂ，６ｂを嵌装させたとき、係止部６ｂ，６ｂの奥まで係止ピン５が到達しない状態で、ガタなく嵌装されるような状態であることが望ましい。このために、係止部６ｂ、６ｂの溝は、図２の上方になるほど幅方向の寸法が狭い両側とも同形状のテーパ状としておくと良いのである。さらに望ましくは、係止部６ｂ，６ｂにおいてほぼガタの無い状態で嵌装された状態である時に、中央接続片２ａに対して、溝部６ａ，６ａもガタが無い状態としておくのである。そうすると、床材への押さえ作業中に方向転換などの取り回しをする際に、ハンドル部１の螺合が十分締め付けられた状態でない場合においても、フォーク２に対する回転がほとんど無い状態、多少の回転はしても取り回しにはほぼ影響が無いという使い勝手とすることができるのである。
【００２５】
そのため、溝部６ａ，６ａも係止部６ｂ，６ｂの溝部と同様に図２の上方になるほど幅方向の寸法が狭い両側とも同形状のテーパ状にしておくと良い。また、係止部６ｂ，６ｂが係止ピン５と嵌装された状態において、溝部６ａ，６ａの略Ｕ字型状の溝の一方の辺、例えば、係止片６ｄが取り付けられている側のそれぞれの辺が中央接続片２ａに当接した状態となり、溝部６ａ，６ａのもう一方の辺は中央接続片２ａに対して当接していない状態であっても、ハンドル部１は回転を押さえ、ガタの少ない状態とすることができるのである。
【００２６】
ロック部材６をフォーク２の中央接続片２ａに装着するのは、係止片６ｄが広がるように中央接続片２ａに当接させて弾性変形をさせながら、フォーク２の中央接続片２ａに溝部６ａ，６ａを嵌装させる。この装着状態を図１に示している。
【００２７】
そして、ロック部材６を装着した後に、ロック部材６を斜め上方へ持ち上げる。この状態を図３の二点鎖線で図示している。溝部６ａ，６ａはロック部材６を上下方向に移動できる深さを有しており、中央接続片２ａが係止片６ｄに当接するまで係止片６ｄの弾性辺変形をすることなく装着状態で上方へ移動させることができる。
【００２８】
図３の二点鎖線の位置へロック部材６を上方へ移動させて、図３において反時計回りの方向へロック部材６を旋回させ、係止ピン５に係止部６ｂ，６ｂを嵌装させる。そして図３の実線位置になるまで旋回させながらロック部材６を降下させることによりロック部材６の係止部６ｂ，６ｂによって係止ピン５との嵌装、溝部６ａ，６ａにより中央接続片２ａへの嵌装が完了してハンドル部１がフォーク２に対して大きく回転をしないロック状態となる。ロックを解除するのは逆の手順を実施すれば良いのである。
【００２９】
以上に説明した実施形態の作用により、ハンドル部１の回転を防止することで床材用押さえローラの取り回しを向上することができる。また、ロック部材６はフォーク２に対して着脱可能であり、ある程度の大きさも有しているため紛失したりすることがない。
【００３０】
７ａ，７ｂは把手であり、本実施の形態の場合においては、ハンドル部１の上部に把手７ａ，７ａを設け、さらに、フォーク２の両側にも把手７ｂ，７ｂを設けている。このため、中央ローラ３のみで使用したり、ハンドル部１を外した状態でローラを運搬する場合の把手として作業をしやすい床材用押さえローラとしている。
【００３１】
また、ロック部材６の係止片６ｄは、ロック部材６が旋回した場合に脱落をしないようにするためのものであり、脱落をしないための構造としては種々な構造を採用することができる。以下にその数例を説明する。
【００３２】
図４はロック部材６を側面から見た状態の図であるロック部材６の下部にバネ８ｃにより溝部６ａ，６ａを塞ぐ方向へ付勢されて突出するピン部材８ａを設けた実施の形態である。８ｂは作業者がピン部材８ａを移動させやすいように持つ操作部で、形状は設計で種々の形状にすることが可能である。また、８ｄはバネ８ｃの付勢力を受けるためにピン部材８ａの先端に設けた先端部材８ｄであり、ロック部材６を中央接続片２ａに装着する際にはピン部材８ａが自動的に装着できる間隔に移動するように例えば半球状の形状等の適宜な形状にしておくと操作性が良い。着脱の両操作ともにピン部材８ａを作業者が操作して間隔を広げるようにしても良いが、ロック部材６を外す時のみピン部材６を作業者が移動させる構成が操作性の面からも望ましい実施形態となる。図４では側面図のため図面奥側となる側板６ｃは見えない状態であるが、図４に示した側板６ｃと同形状の側板がハンドル部１の奥側に位置している。また、ピン部材として説明したが、バネの形状を部材の周囲に装着できるようにすることでピン以外の板状部材や棒部材でも実施可能であることはいうまでもない。
【００３３】
次に図５に示す実施の形態においては、中央接続片２ａに設けた嵌合孔にピン部材９ａを嵌合することによりハンドル部１の回転を防止する構造としたものである。ピン部材９ａの中間付近にバネ受け部材９ｄを設け、ロック部材６にフレーム部材９ｅを設置し、そのフレーム部材９ｅ内において操作部９ｂを持ってスライドさせることによりピン部材９ａを中間接続片２ａに設けた嵌合孔に嵌合させてロックするという構造としている。ピン部材９ａは、フレーム部材９ｅ内でバネ９ｃの付勢力をバネ受け部材９ｄで受けることにより常に図５の左方向への付勢がされた状態となっている。フレーム部材９ｅは説明のために内部が見えた構成を図示して説明しているが、カバーをして外側から内部が見えない状態としても良い。
【００３４】
装着方法は、操作部９ｂを持ってピン部材９ａを図５の右方向へ移動させ、中間接続片２ａに対して溝部６ａ，６ａを嵌装し、係止ピン５に対してロック部材６を反時計回りに旋回させて係止部６ｂを係止させるのである。
【００３５】
上記構成においては、ピン部材９ａを中央接続片２ａに嵌合しているため、ハンドル部１の抜け止めとしても効果を奏するため、ハンドル部１を中央接続片２ａに取り付ける際には、螺合でなく嵌め合いとすることも可能である。ピン部材９ａの先端側になるほど（図５で左側になるほど）細いテーパ状とし、そのテーパ形状に合致するような嵌合孔を中央接続片２ａに設けてピン部材９ａをガタなく嵌合させるようにしておくとさらに望ましい。また、上記では、ロック部材６に溝部６ａ，６ａを設けた構成で説明したが、ピン部材９ａがハンドル部１の回転防止の効果も奏するため、溝部６ａ，６ａの無い状態で実施することも可能である。その場合には、操作部９ｂを引いた状態で係止部６ｂ，６ｂを係止ピン５へ嵌装し、時計周り方向にロック部材６を旋回させて、ピン部材９ａを中央接続片２ａに嵌合させるという操作となる。
【００３６】
また、さらに、ロック部材６を無くして、図６、図７のような実施形態とすることもできる。図６は図５で説明したロックをするピン部材９ａ等の構成をハンドル部１に適度な強度を持たせた別部材を介して取付した構成である。操作部９ｂを引いてピン部材９ａをスライドさせてハンドル部１を中央接続片２ａに嵌合させ、バネ９ｃの付勢力でピン部材９ａを図６左方向へ復帰させ、嵌合し、ハンドル部１の回転及び抜け方向に対するロックを行うという構成である。
【００３７】
図７は、中央接続片２ａのハンドル部１が嵌合する部分にピン部材９ａ等の構成を設けた構成である。この実施の態様では、ハンドル部１の嵌合部に嵌合孔を設け、その嵌合孔へピン部材９ａを嵌合させるというものである。
【００３８】
以上説明したピン部材などは、コスト面から丸棒形状や、テーパを付けた丸棒形状とすることが望ましいが、断面が三角形や四角形の多角形や星形状などの複雑な形状を採用できることはいうまでもない。
【図面の簡単な説明】
【００３９】
【図１】本発明のロック部材を取り付けした状態の床材用押さえローラを説明する図である。
【図２】ロック部材の構成を説明する図である。
【図３】ロック部材によるハンドル部のロックを説明する図である。
【図４】別のロック部材の構成を説明する図である。
【図５】別のロック部材の構成を説明する図である。
【図６】ハンドル部の嵌合とロックの構成を説明する図である。
【図７】ハンドル部の嵌合とロックの構成を説明する図である。
【符号の説明】
【００４０】
１  ハンドル部
２  フォーク
３  中央ローラ
４  側部ローラ
５  係止ピン
６  ロック部材
６ａ  溝部
６ｂ  係止部
６ｃ  側板部
６ｄ  係止片
７ａ  把手
７ｂ  把手
８ａ  ピン部材
８ｂ  操作部
８ｃ  バネ
８ｄ  先端部材
９ａ  ピン部材
９ｂ  操作部
９ｃ  バネ
９ｄ  バネ受け部材
９ｅ  フレーム部材
【図１】
2008208590.tif 000003
【図２】
2008208590.tif 000004
【図３】
2008208590.tif 000005
【図４】
2008208590.tif 000006
【図５】
2008208590.tif 000007
【図６】
2008208590.tif 000008
【図７】
2008208590.tif 000009